(57)【要約】【課題】各対象主体について印刷すべき複数の書類を容易に選択し、関連情報と合成して印刷する。【解決手段】各対象主体について印刷可能な複数の書類を画面上に示すための表示手段２（チェック欄を有する）と、チェック欄を介して印刷する書類を選択するための入力手段４と、書類が選択された対象主体に関する関連データを記憶部から読み出して、選択された書類データと合成することにより合成書類データを生成し出力する出力手段６と、出力された合成書類データに基づいて複数の書類を印刷するための印刷手段８と、を備える。【選択図】図１
2009245188.tif 000002
【特許請求の範囲】
【請求項１】
各対象主体について必要な書類を複数印刷するための複数書類印刷装置であって、
各対象主体について印刷可能な複数の書類を画面上に示すための表示手段であって、印刷する書類をチェックの有無により決定するためのチェック欄を有する表示手段、
前記表示手段に表示されたチェック欄を介して印刷する書類を選択するための入力手段、
前記入力手段によって書類が選択された対象主体に関する関連データを記憶部から読み出して、選択された書類データと合成することにより合成書類データを生成し、これを出力する出力手段、
前記出力手段から出力された合成書類データに基づいて複数の書類を印刷するための印刷手段、
を備えたことを特徴とする複数書類印刷装置。
【請求項２】
各対象主体について必要な書類を複数印刷するための複数書類印刷プログラムであって、
コンピュータを、
各対象主体について印刷可能な複数の書類を画面上に示すための表示手段であって、印刷する書類をチェックの有無により決定するためのチェック欄を有する表示手段、
前記表示手段に表示されたチェック欄を介して印刷する書類を選択するための入力手段、
前記入力手段によって書類が選択された対象主体に関する関連データを記憶部から読み出して、選択された書類データと合成することにより合成書類データを生成し、これを出力する出力手段、
前記出力手段から出力された合成書類データに基づいて複数の書類を印刷するための印刷手段、
として機能させるための複数書類印刷プログラム。
【請求項３】
請求項１の複数書類印刷装置または請求項２の複数書類印刷プログラムにおいて、
前記表示手段のチェック欄において、作業者ＩＤに対応付けられた所定書類が予め選択されている、
ことを特徴とする複数書類印刷装置または複数書類印刷プログラム。
【請求項４】
請求項１の複数書類印刷装置または請求項２の複数書類印刷プログラムにおいて、
前記表示手段のチェック欄において、前回印刷を行った書類が予め選択されている、
ことを特徴とする複数書類印刷装置または複数書類印刷プログラム。
【請求項５】
請求項１〜４のいずれかの複数書類印刷装置または複数書類印刷プログラムにおいて、
前記表示手段のチェック欄が、各対象主体について書類毎に設けられた任意チェック欄と、前記任意チェック欄に予め入力しておいたチェックの有無を反映するための初期チェック欄と、で構成されている、
ことを特徴とする複数書類印刷装置または複数書類印刷プログラム。
【請求項６】
請求項１〜５のいずれかの複数書類印刷装置または複数書類印刷プログラムにおいて、
前記表示手段が、予め各対象主体について作成しておいたＣＳＶファイルを読み出すことにより各対象主体をリスト表示すること、
を特徴とする複数書類印刷装置または複数書類印刷プログラム。
【請求項７】
請求項１〜６のいずれかの複数書類印刷装置または複数書類印刷プログラムにおいて、
前記表示手段に表示される対象主体が被保険者であり、当該被保険者の扶養家族が併せて表示されること、
を特徴とする複数書類印刷装置または複数書類印刷プログラム。
【請求項８】
請求項１〜７のいずれかの複数書類印刷装置または複数書類印刷プログラムにおいて、
前記印刷手段が、複数の対象主体について選択された複数の書類を一括して印刷すること、
を特徴とする複数書類印刷装置または複数書類印刷プログラム。
【請求項９】
各対象主体について必要な書類を複数印刷するための複数書類印刷方法であって、
印刷する書類をチェックの有無により決定するためのチェック欄を有する表示手段が、各対象主体について印刷可能な複数の書類を画面上に表示し、
入力手段が、前記表示手段に表示されたチェック欄を介して印刷する書類を選択し、
出力手段が、前記入力手段によって書類が選択された対象主体に関する関連データを記憶部から読み出して、選択された書類データと合成することにより合成書類データを生成し、これを出力し、
印刷手段が、前記出力手段から出力された合成書類データに基づいて複数の書類を印刷する、
ことを特徴とする複数書類印刷方法。
【請求項１０】
各対象主体について必要な書類を複数印刷するための複数書類印刷装置であって、
各対象主体について印刷可能な複数の書類を画面上に示すための表示手段であって、印刷する書類をチェックの有無により決定するためのチェック欄を有する表示手段、
前記表示手段に表示されたチェック欄を介して印刷する書類を選択するための入力手段、
前記入力手段によって書類が選択された対象主体に関する関連データを記憶部から読み出して、選択された書類データと合成することにより合成書類データを生成し、これを出力する出力手段、
を備えたことを特徴とする複数書類印刷装置。
【請求項１１】
各対象主体について必要な書類を複数印刷するための複数書類印刷プログラムであって、
コンピュータを、
各対象主体について印刷可能な複数の書類を画面上に示すための表示手段であって、印刷する書類をチェックの有無により決定するためのチェック欄を有する表示手段、
前記表示手段に表示されたチェック欄を介して印刷する書類を選択するための入力手段、
前記入力手段によって書類が選択された対象主体に関する関連データを記憶部から読み出して、選択された書類データと合成することにより合成書類データを生成し、これを出力する出力手段、
として機能させるための複数書類印刷プログラム。
【請求項１２】
各対象主体について必要な書類を複数印刷するための複数書類印刷方法であって、
印刷する書類をチェックの有無により決定するためのチェック欄を有する表示手段が、各対象主体について印刷可能な複数の書類を画面上に表示し、
入力手段が、前記表示手段に表示されたチェック欄を介して印刷する書類を選択し、
出力手段が、前記入力手段によって書類が選択された対象主体に関する関連データを記憶部から読み出して、選択された書類データと合成することにより合成書類データを生成し、これを出力する、
ことを特徴とする複数書類印刷方法。
【発明の詳細な説明】
【技術分野】
【０００１】
この発明は、各対象主体について必要な複数の書類を一括して印刷するための技術に関する。
【背景技術】
【０００２】
コンピュータを用いて個人について必要な複数の書類を印刷する際（例えば、役所において被保険者が要求する複数の申請書を印刷する際）に、印刷しようとする各書類それぞれについてファイルを開いて印刷ボタンを押下するという作業が必要であった。
【０００３】
また、複数の印刷要素に関する印刷技術としては、以下のようなものが存在していた。特許文献１には、「背表紙などの印刷物について、複数の文書情報をドラッグドロップしながら簡易な操作で印刷を行うこと」が開示されている（特許文献１の段落０００８を参照）。特許文献２には、「文書フォーマットと、携帯端末の印刷データ（個人データ）を合成して印刷装置へ出力すること」が開示されている（特許文献２の段落０００９を参照）。特許文献３には、「簡単なファイル選択指示操作で、複数のファイルを同一の用紙に印刷することができること」が開示されている（特許文献３の段落００２８を参照）。特許文献４には、「通知書の見出しや枠などの書式と認証印と個人情報とを一度にプリント出力できること」が開示されている（特許文献４の第３ページ左上欄１４行目〜１６行目を参照）。
【０００４】
【特許文献１】特開２００６−３０２１１８号公報
【０００５】
【特許文献２】特開２００５−１９６５４７号公報
【０００６】
【特許文献３】特開平０７−３１９８５６号公報
【０００７】
【特許文献４】特開平０２−２９３９２２号公報
【発明の開示】
【発明が解決しようとする課題】
【０００８】
しかしながら、印刷しようとする各書類それぞれについてファイルを開いて印刷ボタンを押下するという作業は煩雑であり、既に印刷したものを再度印刷してしまうといった作業者による操作ミスが生じる原因になっていた。後期高齢者医療制度（７５歳以上の「後期高齢者」全員が加入する公的医療保険制度）が２００８年度から導入されるが、かかる新たな保険制度が導入されると役所などにおいて上記問題がより一層生じ易くなる。
【０００９】
また、上記の特許文献１、３では、複数のデータを一度に印刷するという構成が開示されており、特許文献２、４では、個人情報を書類と共に印刷することが開示されているが、これらの文献には、印刷対象である複数の書類を選択するための画面表示（チェック欄）は存在せず、かかる画面表示への入力（チェック有無）に基づいて個人情報を含んだ複数の書類を印刷するという従来技術は存在しない。
【課題を解決するための手段】
【００１０】
（１、２、９）この発明の複数書類印刷装置は、
各対象主体について必要な書類を複数印刷するための複数書類印刷装置であって、
各対象主体について印刷可能な複数の書類を画面上に示すための表示手段であって、印刷する書類をチェックの有無により決定するためのチェック欄を有する表示手段、
前記表示手段に表示されたチェック欄を介して印刷する書類を選択するための入力手段、
前記入力手段によって書類が選択された対象主体に関する関連データを記憶部から読み出して、選択された書類データと合成することにより合成書類データを生成し、これを出力する出力手段、
前記出力手段から出力された合成書類データに基づいて複数の書類を印刷するための印刷手段、
を備えたことを特徴とする。
【００１１】
これにより、各対象主体について印刷すべき書類をチェック欄を介して容易に選択することが可能となり、作業者の印刷作業負担を軽減しつつ、操作ミスの発生を防止することができる。
【００１２】
（３）この発明の複数書類印刷装置は、
前記表示手段のチェック欄において、作業者ＩＤに対応付けられた所定書類が予め選択されている、ことを特徴とする。
【００１３】
これにより、作業者毎に特定の書類を予め印刷する書類としてチェックしておくことができ、当該作業者による印刷操作を迅速に行うことが可能となる。
【００１４】
（４）この発明の複数書類印刷装置は、
前記表示手段のチェック欄において、前回印刷を行った書類が予め選択されている、ことを特徴とする。
【００１５】
これにより、前回印刷した書類を予め印刷する書類としてチェックしておくことができ、次回の印刷操作を迅速に行うことが可能となる。
【００１６】
（５）この発明の複数書類印刷装置は、
前記表示手段のチェック欄が、各対象主体について書類毎に設けられた任意チェック欄と、前記任意チェック欄に予め入力しておいたチェックの有無を反映するための初期チェック欄と、で構成されている、
これにより、任意チェック欄と同一画面上に初期チェック欄を表示しておくことができ、印刷書類の選択操作を迅速に行うことが可能となる。
【００１７】
（６）この発明の複数書類印刷装置は、
前記表示手段が、予め各対象主体について作成しておいたＣＳＶファイルを読み出すことにより各対象主体をリスト表示すること、を特徴とする。
【００１８】
これにより、対象主体を特定するための識別番号の入力操作を不要とすることができ、印刷対象となる対象主体のデータを迅速に表示することが可能となる。
【００１９】
（７）この発明の複数書類印刷装置は、
前記表示手段に表示される対象主体が被保険者であり、当該被保険者の扶養家族が併せて表示されること、を特徴とする。
【００２０】
これにより、扶養家族の関係にある者の書類についても併せて、一括して印刷することが可能となる。
【００２１】
（８）この発明の複数書類印刷装置は、
前記印刷手段が、複数の対象主体について選択された複数の書類を一括して印刷すること、を特徴とする。
【００２２】
これにより、複数の対象主体について印刷すべき書類を容易に選択することが可能となる。
【００２３】
（１０、１１、１２）この発明の複数書類印刷装置は、
各対象主体について必要な書類を複数印刷するための複数書類印刷装置であって、
各対象主体について印刷可能な複数の書類を画面上に示すための表示手段であって、印刷する書類をチェックの有無により決定するためのチェック欄を有する表示手段、
前記表示手段に表示されたチェック欄を介して印刷する書類を選択するための入力手段、
前記入力手段によって書類が選択された対象主体に関する関連データを記憶部から読み出して、選択された書類データと合成することにより合成書類データを生成し、これを出力する出力手段、
を備えたことを特徴とする。
【００２４】
これにより、各対象主体について印刷すべき書類をチェック欄を介して容易に選択して、印刷用データとして一括して出力することが可能となる。
【発明を実施するための最良の形態】
【００２５】
[複数書類印刷装置の機能ブロック図]
まず、図１を用いて、この発明の複数書類印刷装置１００の概要について説明する。図１は、複数書類印刷装置１００の機能ブロック図である。なお、以下の実施形態では、被保険者が各種申請を行うために必要な帳票を複数書類印刷装置１００を用いて印刷する場合を例に説明する。
【００２６】
図１に示すように、この発明の複数書類印刷装置１００は、表示手段２、入力手段４、記憶部６、合成書類データ出力手段８、印刷手段１０を備える。
【００２７】
図１に示す表示手段２は、対象主体である各被保険者（個人）について印刷可能な複数の書類（申請書類である帳票）を画面上に示すための手段であり、印刷する書類をチェックの有無により決定するための図８に示すチェック欄４２（初期チェック欄４２ａ、任意チェック欄４２ｂで構成される）を有する。なお、図８は、表示手段２に表示されるプログラム操作画面の表示例を示す図であり、操作画面Ｘ上には、各個人について書類毎に設けられた任意チェック欄４２ａと、予め入力しておいたチェックの有無を前記任意チェック欄に反映するための初期チェック欄４２ｂと、が表示されている。
【００２８】
図１に示す入力手段４は、前記表示手段に表示されたチェック欄４２（図８を参照）を介して印刷する書類を選択するための手段である。図１に示す合成書類データ出力手段８は、前記入力手段によって書類が選択された個人に関する関連データである個人情報（図８に示す氏名カナ、銀行名等のデータ）を記憶部６から読み出して、選択された書類データの所定位置に合成することにより合成書類データ（印刷用に合成されたデータ）を生成し、これを出力するための手段である。図１に示す印刷手段１０は、前記出力手段から印刷用に出力された合成書類データに基づいて複数の書類を一括して印刷するための手段である。
【００２９】
[複数書類印刷装置のハードウェア構成]
つぎに、図２を用いて、この発明の複数書類印刷書類１００のハードウェア構成について説明する。
【００３０】
図２に示すように、この発明の複数書類印刷装置１００は、ＣＰＵ１２、ＲＡＭ１４、ディスプレイ１６（図１の表示手段２に対応）、ハードディスク１８（図１の記憶部６に対応）、キーボード／マウス２０（図１の入力手段４に対応）、プリンタ２２（図１の印刷手段１０に対応）などを備えている。
【００３１】
また、図２に示すように、ハードディスク１６には複数書類印刷プログラム３０、認証データＤＢ３２、個人データＤＢ３４および印刷書類フォームＤＢ３６が記憶されている。複数書類印刷プログラム３０と、ＣＰＵ１２およびＲＡＭ１４等が協働して動作することにより、図１の合成書類データ出力手段８として機能する。
【００３２】
複数書類印刷プログラム３０は、チェック欄４２（図８）においてチェックされた書類と個人データとを合成して印刷用のデータ（合成書類データ）を生成する機能を備える。具体的には、ラスターデータにテキスト・スタンプ合成してマージ処理を行い、印刷用のデータをラスター出力、PostScript,PDF出力する一般的な技術を用いることができる。
【００３３】
図３は、認証データＤＢ３２に記憶される認証データの例を示す図である。図３に示すように認証データＤＢ３２には、複数書類印刷プログラム３０にログインするために必要なユーザID（例えば、「ABCDEFG」）およびパスワード（例えば、「abcd1234」）で構成される認証データが記憶されている。また、認証データに併せて、ユーザが前回の作業において最後に印刷した書類を示す帳票ＩＤ（例えば、「KD09R020」）とこれに対応する帳票名（例えば、「特別療養費」）が印刷履歴として記憶されている。
【００３４】
図４は、個人データＤＢ３４に記憶されるデータの例を示す図である。個人データＤＢ３４には、選択した申請書類の所定箇所にテキスト合成等して印刷しようとする各被保険者の個人情報が記憶されている。例えば、図４に示すような被保険者番号（例えば、「1234567890」）、カナ氏名（例えば、「ヒタチ  タロウ」）、銀行名（例えば、「日立銀行」）、支店名（例えば、「日立支店」）、口座番号（例えば、「7777777」）、預金種別（例えば、「普通」）などのデータが記憶されている。
【００３５】
図５は、印刷書類フォームＤＢ３６に記憶される書類データの例を示す図である。図５Ａに示す印刷書類フォームＤＢ３６には、チェック欄４２（図８）に表示される書類の帳票ＩＤ（例えば、特別療養費の帳票ＩＤ「KD09R020」）と対応付けて、申請書類の印刷書類フォームデータ（例えば、「KD09R020.pdf」）が記憶されている。図８に示すチェック欄４２で選択された帳票ＩＤに対応する印刷書類フォームデータが読み出されて、前述の個人データＤＢ３４から読み出された個人情報のテキストデータと合成されることになる。
【００３６】
図５Ｂは、図５Ａに示す印刷書類フォームデータ「KD09R020.pdf」（図８の申請書「特別療養費」に対応）のデータ内容を示す画像である。図５Ｂに示す画像には、口座番号などの個人情報は記載されていないが、図中Ｗ内の所定位置にテキストーデータ「ＸＸＸＸ」や点線で描画した丸印などが配置されており、合成書類データ生成の際に各位置に銀行名などの個人情報が表示・描画される。なお、印刷書類フォームデータの登録は、例えば、スキャナを使用して紙資料を読み込んで個人情報のテキストデータを配置する所定位置を指定（例えば、テキストデータ「ＸＸＸＸ」を予め所定位置に配置しておく等、「銀行」等の丸印を描画する可能性のある文字の位置に予め点線で丸印を描画しておく等）して保存し、帳票名や帳票ＩＤを付与して行われる。
【００３７】
[複数書類印刷プログラムが行う処理のフローチャート]
つぎに、図６〜図１０などを用いて、複数書類印刷プログラム３０が行う処理を説明する。図６は、複数書類印刷プログラム３０のユーザ認証時における処理を示すフローチャートであり、図７は、認証後から印刷を行うまでの処理を示すフローチャートである。図８および図９は、認証後におけるプログラム操作画面の表示例を示す図である。図１０は、最終的にプリンタ２２から印刷される書類の一例を示す図である。
【００３８】
複数書類印刷プログラム３０（図２）は、作業者がキーボード／マウス２０（図２）を介して、例えばアイコンをダブルクリック等することによって起動される。複数書類印刷プログラム３０が起動されると、まずログイン画面（図示せず）が表示される（ステップＳ１０）。
【００３９】
作業者が、ログイン画面においてキーボード／マウス２０（図２）を介してユーザID／パスワードを入力すると（ステップS１２のYes）、ＣＰＵ１２は、入力されたユーザＩＤが登録されているか（ステップＳ１４）、および、パスワードが正しいか否か（ステップＳ１６）を認証データＤＢ３２（図３）を参照して判断する。入力されたユーザＩＤが登録されていない場合（ステップS１４のNo）には、ユーザ登録がされていない旨のエラー表示を行ってプログラムを終了する（ステップS１８）。入力されたＩＤが登録されていると判断し（ステップS１４のYes）、かつ、パスワードが正しいと判断した場合（ステップS１６のYes）には、正規のユーザとして認証され操作画面Ｘ（図８）が表示される（ステップＳ２０）。その後は、図７に示すユーザ認証後の処理に移行する。一方、パスワードが誤っていると判断した場合（ステップS１６のNo）は、ユーザ認証が失敗した旨のエラー表示を行ってプログラムを終了する（ステップＳ１８）。
【００４０】
ユーザ認証が完了し、図８に示す操作画面Ｘが表示されると（図６のステップＳ２０）、ＣＰＵ１２は認証データＤＢ（図３）を参照して、認証したユーザＩＤに対応する帳票ＩＤを読み出して、これに対応する初期チェック欄４２ａの項目を予めチェックした状態で表示する（ステップＳ３０）。図８に示す初期チェック欄４２ａでは、「特別療養費」、「高額療養費」、「特定疾病／減認証」の項目が予め選択（チェック有りのもの）されている。なお、この段階ではまだ図８に示すNo.1の被保険者「ヒタチ  タロウ」のデータは表示されていない。
【００４１】
さらに、作業者がキーボード／マウス２０を介して、入力欄４０から被保険者番号（例えば、「1234567890」）を入力すると（ステップＳ３２のYes）、ＣＰＵ１２は個人データＤＢ３４を参照して、当該被保険者番号に対応する個人情報（図４に示すカナ氏名「ヒタチ  タロウ」、銀行名「日立銀行」など）を画面上に表示する（ステップＳ３４）。このとき、当該被保険者の任意チェック欄４２ｂには、図８に示すように初期チェック欄４２ａで選択されている項目が反映されて表示される。
【００４２】
なお、図８に示すチェック欄４２においてチェックされた申請書類の帳票ＩＤはＲＡＭ１４に記憶されており、作業者がさらに任意チェック欄４２ｂへの入力（選択／解除）などを行うと（ステップＳ３６のYes）、ＣＰＵ１２はチェック欄の表示に対応して当該ＲＡＭ１４上のデータを更新する（ステップＳ３８）。具体的には、初期チェック欄４２ａ、任意チェック欄４２ｂへの入力によってチェック欄４２において選択された申請書類の帳票ＩＤはＲＡＭ１４に記憶し、解除された申請書類の帳票ＩＤはＲＡＭ１４から消去する処理を行う。
【００４３】
さらに、印刷ボタン５０が押下されていない状態で（ステップＳ４０のNo）、被保険者番号が入力されることにより（ステップＳ３２のYes）、さらに追加の被保険者に関する個人データ（図４）が表示される。このように、印刷ボタン５０が押下されるまで、つまり、作業者が印刷しようとする被保険者の表示および書類の選択が終わるまで、ステップＳ３２〜ステップＳ３８の処理が繰り返される。図９は、図８に示すNo.1の被保険者を表示して複数の書類を選択した後、さらに４名の被保険者（No.2?No.5）を表示してチェック欄４２において各被保険者毎に印刷する申請書類を選択した状態を示す図である。なお、この実施形態では、初期チェック欄４２ａのチェック有無は被保険者が表示される時にのみ任意チェック欄４２ｂに反映され、既に表示されている被保険者については反映されない。
【００４４】
作業者により印刷ボタンが押下されると（ステップＳ４０のYes）、ＣＰＵ１２は、各被保険者についてＲＡＭ１４に記憶されている帳票ＩＤに対応する印刷書類フォームデータと、当該被保険者の個人データ（住所、氏名、口座番号など）とを合成して合成書類データとしてプリンタ２２（図２）に出力する処理が行われる（ステップＳ４２）。
【００４５】
例えば、カナ氏名「ヒタチ  タロウ」が口座番号の位置に配置されているテキストデータ「ＸＸＸ・・・ＸＸＸ」に置換して組み込まれる。また、銀行名「日立」が口座番号の位置に配置されているテキストデータ「ＸＸＸ」に置換して組み込まれ、かつ、銀行の文字の位置に配置されている丸印（図示せず）が点線から実線に変更される。
【００４６】
このようにして、図９に示す被保険者No.1?No.5までの全ての被保険者について印刷用のPDFデータが生成されプリンタ２２に出力される。
【００４７】
図１０に、合成された申請書類（合成書類データ）のプレビューイメージ例を示す。図１０に示す「高額療養費」の申請書類には、各個人データがそれぞれ所定位置に記載されている。具体的には、図中P1で示す位置にカナ氏名「ヒタチ  タロウ」が、P2で示す位置に銀行名「日立」と「銀行」を示す丸印が、P3で示す位置に支店名「日立」と「支店」を示す丸印が、P4で示す位置に口座番号「7777777」が、P5で示す位置に預金種別「普通」を示す丸印が表示される。なお、被保険者No.1の「ヒタチ  タロウ」については、その他、図９においてチェックされている「特別療養費」および「特定疾病／減認証」の申請書が、上記「高額療養費」と同様、所定位置に表示される個人データと共に合成されている。
【００４８】
プリンタ２２（図２）は、ステップＳ４２において出力された合成書類データに基づいて書類を印刷する（ステップＳ４４）。プリンタ２２（図２）によってプリントアウトされた書類は、通常は被保険者に渡されることになるが、PDFデータとしてフレキシブルディスクなどのデータとして被保険者に渡すことも可能である。この場合、プリント処理（図１に示す複数書類印刷装置１００の印刷手段１０）は不要となる。
【００４９】
[その他の実施形態]
なお、上記実施形態では、図７のステップＳ３２において作業者が被保険者番号を入力することとしたが、予め被保険者番号を入力したＣＳＶファイルを作成しておき、図１１のステップＳ３３に示すように、操作画面X上のＣＳＶ取込ボタン５２（図８、図９）を押下することで、各被保険者に関する個人情報を一度に読み込むようにしてもよい。なお、図１１は、図６に対応する図であり、ステップＳ３３の処理以外は図６に示すものと同じである。これにより、例えば、図９に示すNo.1?No.5の被保険者をまとめて画面上に表示することができる（図１１のステップＳ３３）。
【００５０】
なお、上記実施形態では、図７のステップＳ３２において作業者が被保険者番号を入力することにより、対応する被保険者（本人）をチェック欄４２に表示することとしたが、図１２に示すように被保険者の扶養家族も併せてチェック欄４２に表示するようにしても良い。扶養家族のカナ氏名は個人情報データベース（図４）に被保険者（本人）の個人情報として記憶しておけばよい。図１２に、図８に示すNo.1の被保険者である「ヒタチ  タロウ」の扶養家族（配偶者）である「ヒタチ  ハナコ」がNo.2の被保険者として併せて表示された状態を示す。図１２に示すように扶養家族についての個人情報（カナ氏名以外）は被保険者（本人）と共通のデータが反映されている。
【００５１】
なお、上記実施形態では、対象主体を個人としたが、これに限られるものではなく、団体、法人などを対象主体としても良い。
【００５２】
なお、上記実施形態では、被保険者が必要とする帳票を印刷することとしたが、これに限られるものではなく、対象主体が必要とする他の書類、例えば学生が必要とする願書などを印刷するために用いても良い。
【００５３】
なお、上記実施形態では、初期チェック欄４２ａにおいて、作業者IDに対応付けられた所定書類を予め選択する（チェック有り）こととしたが、これに限定されるものではなく、作業者IDに関係無く複数書類印刷プログラム３０で前回最後に印刷された書類を初期チェック欄４２ａにおいて予め選択するようにしてもよい。
【００５４】
なお、上記実施形態では、初期チェック欄４２ａおよび任意チェック欄４２ｂでチェック欄４２を構成したが、任意チェック欄４２ｂのみによってチェック欄４２を構成しても良い。
【００５５】
なお、上記実施形態では、複数人分の複数書類を一括して印刷する場合について説明したが、一個人分の複数書類を一括して印刷するために本発明を用いることも可能である。
【００５６】
なお、上記実施形態では、図９のステップＳ３４において、初期チェック欄４２ａにおけるチェック有無の内容を、被保険者番号が入力されてデータが画面上に表示される時にのみ任意チェック欄４２ｂに反映し、既に表示されている被保険者についてはチェック有無の内容は反映しないこととしたが、既に表示されている被保険者についてもチェック有無の内容を反映するように構成しても良い。
【００５７】
なお、上記実施形態では、印刷書類フォームデータ（図５Ａ、Ｂに示す「KD09R020.pdf」）の登録時に予めテキストデータ等を所定位置に指定することとしたが、印刷ボタン５０（図８など）が押下された後にテキストデータ等を所定位置に指定するようにしても良い。
【図面の簡単な説明】
【００５８】
【図１】この発明の複数書類印刷装置の機能ブロック図である。
【図２】この発明の複数書類印刷装置のハードウェア構成を示す図である。
【図３】認証データＤＢ３２に記憶されるデータの例を示す図である。
【図４】個人データＤＢ３４に記憶されるデータの例を示す図である。
【図５】印刷書類フォームＤＢ３６に記憶されるデータの例を示す図である。
【図６】プログラムのユーザ認証時における処理を示すフローチャートである。
【図７】ユーザ認証後から印刷を行うまでの処理を示すフローチャートである。
【図８】プログラム操作画面の表示例を示す図である。
【図９】プログラム操作画面の表示例を示す図である。
【図１０】最終的にプリンタ２２から印刷される書類の例を示す図である。
【図１１】その他の実施形態における認証後から印刷を行うまでの処理を示すフローチャートである。
【図１２】その他の実施形態におけるプログラム操作画面の表示例を示す図である。
【符号の説明】
【００５９】
１００・・・・複数書類印刷装置
２・・・・表示手段
４・・・・入力手段
６・・・・個人データ記憶部
８・・・・合成書類データ出力手段
１０・・・・印刷手段
【図１】
2009245188.tif 000003
【図２】
2009245188.tif 000004
【図３】
2009245188.tif 000005
【図４】
2009245188.tif 000006
【図５】
2009245188.tif 000007
【図６】
2009245188.tif 000008
【図７】
2009245188.tif 000009
【図８】
2009245188.tif 000010
【図９】
2009245188.tif 000011
【図１０】
2009245188.tif 000012
【図１１】
2009245188.tif 000013
【図１２】
2009245188.tif 000014